(57)【要約】【課題】清掃作業の自動化による作業効率の向上と利用者への利便性を向上させる動く歩道の清掃装置を提供する。【解決手段】パレット３０を連結して成る動く歩道の清掃装置であって、パレット３０の枠線に清掃材２０を押し付けながら、動く歩道のパレット３０を進行方向又は後退方向に駆動させる。【選択図】図１
2011088712.tif 000002
【特許請求の範囲】
【請求項１】
パレットを連結して成る動く歩道の清掃装置であって、
前記パレットの枠線に清掃材を押し付けながら、前記動く歩道のパレットを進行方向又は後退方向に駆動させる手段を備えたことを特徴とする動く歩道の清掃装置。
【請求項２】
前記清掃装置本体の取り付けは、前記動く歩道のアングル部材に取り付け及び取り外しが可能であることを特徴とする請求項１記載の動く歩道の清掃装置。
【請求項３】
前記清掃材は、油吸着材であることを特徴とする請求項１記載の動く歩道の清掃装置。
【請求項４】
前記清掃材は、圧縮バネを介して前記パレットの黄色注意襟色に押し付けられていることを特徴とする請求項１に記載の動く歩道の清掃装置。
【請求項５】
前記清掃材は、前記清掃装置本体に対して、鉛直線方向にスライド可能に取り付けられていることを特徴とする請求項１項に記載の動く歩道の清掃装置。
【請求項６】
前記清掃材は、前記パレットの移動方向に対する滑り止め構造を備えることを特徴とする請求項１項に記載の動く歩道の清掃装置。
【請求項７】
前記滑り止め構造は、滑り止めゴムを用いることを特徴とする請求項６記載の動く歩道の清掃装置。
【発明の詳細な説明】
【技術分野】
【０００１】
本発明は、動く歩道の清掃装置に関し、特に、動く歩道のパレットと端部の枠線の清掃装置に関する。
【背景技術】
【０００２】
動く歩道は、エスカレータと同様に、人や物品を運ぶのに用いられる搬送装置である。動く歩道では、一連のステップやパレット（踏板部）が平坦で直線的な走行路を形成している。
【０００３】
従来、動く歩道のパレット構造としては、パレットの表面部品を交換可能にした構造が提案されている（例えば、特許文献１参照。）。
【０００４】
動く歩道は、乗客の利用あるいは周囲の塵埃等によって、定期的な清掃が欠かせない。そこで、動く歩道又はエスカレータの踏板部の清掃を自動的に行う清掃装置や清掃方法が提案されている（例えば、特許文献２参照。）。
【先行技術文献】
【特許文献】
【０００５】
【特許文献１】特表２００７−５３３５７６号公報
【特許文献２】特開２０００−５１２２５３号公報
【発明の概要】
【発明が解決しようとする課題】
【０００６】
動く歩道では、歩道を駆動させるチェーン等の機械部品の潤滑油がパレット端部を通じて乗車面の枠線（デマケーションライン）にまで出てきてしまうことがある。パレット乗車面に発生した汚れは、動く歩道利用者の衣服の裾などを汚してしまう可能性があるので、清掃が必要である。
【０００７】
特許文献２で開示されている清掃装置は、パレットの主表面の清掃に係るもので、デマケーションラインの清掃には対応していない。
【０００８】
潤滑油によるデマケーションラインの汚れを手作業で清掃する場合、動く歩道の機長にも左右されるが、例えば機長６０ｍの動く歩道では、往路・帰路側のパレット全数を清掃するとした場合１２０ｍとかなり長い面積を清掃しなければならない。手作業による拭き取り清掃では膨大な時間が必要とされる。
そこで、本発明は、上記した問題に鑑みてなされたもので、清掃作業の自動化による作業効率の向上と利用者への利便性を向上させる清掃装置を提供する。
【課題を解決するための手段】
【０００９】
本発明の一態様によれば、パレットを連結して成る動く歩道の清掃装置であって、前記パレットの枠線に清掃材を押し付けながら、前記動く歩道のパレットを進行方向又は後退方向に駆動させる手段を備えたことを特徴とする動く歩道の清掃装置が提供される。
【００１０】
また、本発明の別の一態様によれば、前記清掃装置本体の取り付けは、前記動く歩道のアングル部材に取り付け及び取り外しが可能であることを特徴とする動く歩道の清掃装置が提供される。
【００１１】
また、本発明の別の一態様によれば、前記清掃材は、前記清掃装置本体に対して、鉛直線方向にスライド可能に取り付けられていることを特徴とする動く歩道の清掃装置が提供される。
【発明の効果】
【００１２】
本発明によれば、清掃作業の自動化による作業効率の向上と利用者への利便性を向上させることができる。
【図面の簡単な説明】
【００１３】
【図１】本発明の実施形態に係る清掃装置の上面図である。
【図２】本発明の実施形態に係る清掃装置の正面図である。
【図３】清掃装置の取り付け部の構造を示す略断面図である。
【図４】清掃装置の押し当て部の構造を示す略断面図である。
【図５】清掃装置の固定部の構造を示す略断面図である。
【図６】滑り防止機構の構造を示す略断面図である。
【発明を実施するための形態】
【００１４】
以下、本発明の一実施の形態について、図面を参照して説明する。尚、各図において同一箇所については同一の符号を付すとともに、重複した説明は省略する。
【００１５】
図１は、本発明の実施形態に係る清掃装置の上面図であり、図２は本発明の実施形態に係る清掃装置の正面図である。
【００１６】
清掃装置１００は、動く歩道のパレットの端部に設けられている黄色注意襟色（以下、デマケーションラインという）の汚れを清掃するもので、パレット３０のデマケーションライン上に清掃材２０を押し付けておき、動く歩道を駆動させることにより、デマケーションラインを自動的に清掃するものである。清掃装置１００は、例えば９００ｍｍ程度の長尺状の主体部１０と、主体部１０を動く歩道に取り付けるための取り付け部１１と、清掃材２０を主体部１０に固定させるための固定部１２と、清掃材２０をパレット３０のデマケーションライン上に押し付けるための押し当て部１３と、清掃材２０の滑りを防止する滑り防止機構１４から構成されている。主体部１０は、例えばアルミダイキャストや、鋼板で製作することができる。取り付け部１１、固定部１２は主体部１０と一体的に形成することが好適である。
【００１７】
図３は、清掃装置１００の取り付け部１１の構造を示す略断面図である。取り付け部１１は、主体部１０を動く歩道のスカートガードパネルへの取り付ける際に使用される。例えば、スカートガードパネルのアングル部４０に皿ビス１５と蝶ナット１６を使用して取り付ける。取り付け部１１は、主体部１０の長手方向に２箇所設けることが好適である。
【００１８】
図４は、清掃装置１００の押し当て部１３の構造を示す略断面図である。押し当て部１３は、清掃材２０をパレット３０のデマケーションライン上に押し付けるため、押し付け板１７と押し当てスプリング１８から構成されている。図４に示すように、押し付け板１７とパレット３０間に清掃材２０を介挿させ、押し当てスプリング１８を圧縮させて、押し付け板１７を清掃材２０に押し当てる。清掃材２０を安定させるために、図４に示すように、側面から支持するのが好適である。
【００１９】
図５は、清掃装置１００の固定部１２の構造を示す略断面図である。図５に示すように、清掃材２０を主体部１０に固定するために、左右の固定金具１９によって清掃材２０を挟み込みこんで、主体部１０に固定する。
【００２０】
清掃材２０は、歩道を駆動させるチェーン等の機械部品の潤滑油がパレット端部を通じて滲み出てくるので、油を吸着する材料が好ましい。例えば、カクイ株式会社製の油吸着材（型式：ＦＧＵ-５０９０、ＦＧＵ-９０５）が好適である。植物系素材の油吸着材で合繊系素材の油吸着材に比べてＣＯ２の発生が少なく、より環境へ配慮したものである。１ｇあたりの油吸着量が３０ｇと、合繊系のおよそ３倍の油吸着性能となっている。
【００２１】
清掃材２０のパレットとの接触面が汚れてきた場合、汚れていない面部分に清掃材２０をスライドして使用することができる。清掃材２０をスライドさせる際は、清掃材２０を斜め上方向に適度な力で引くことで左右の固定金具１９に取り付いたスプリングのバネが緩み、清掃材２０をスライドさせることができる。
【００２２】
図６は、滑り防止機構１４の構造を示す略断面図である。動く歩道を駆動させると、パレット３０は歩道の前後方向に移動する。パレット３０の移動に伴い、パレット３０に押し当てる清掃材２０がずれてしまうことを防止する必要がある。そこで、図６に示すように、滑り止めゴム２１を清掃材２０と押し付け板１７との間に介挿させる。滑り止めゴム２１は、清掃装置１００側面からは連続した略三角形の形状に成形するのが好適である。これは、即ち、パレット３０の前後方向に対する摩擦力については清掃材２０がずれないように大きな摩擦力が作用するが、清掃材２０をスライドする際の上下方向の力に対しては小さな摩擦力となるからである。
【００２３】
上記したように、本実施形態によれば、清掃装置の構造を、動く歩道のスカートガードパネルの取り付け箇所を利用して容易に取り付けが可能な構造としているので、動く歩道の駆動に伴い、パレットを効率的に清掃することができる。また、清掃材の取り付けはずれが抑制されているので、パレットの清掃が確実に行える。
【００２４】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００２５】
１０…主体部、１１…取り付け部、１２…固定部、１３…押し当て部、１４…滑り防止機構、１５…皿ビス、１６…蝶ナット、１７…押し付け板、１８…押し当てスプリング、１９…固定金具、２０…清掃材、２１・・・滑り止めゴム、３０…パレット、１００…清掃装置。
【図１】
2011088712.tif 000003
【図２】
2011088712.tif 000004
【図３】
2011088712.tif 000005
【図４】
2011088712.tif 000006
【図５】
2011088712.tif 000007
【図６】
2011088712.tif 000008